(57)【要約】      （修正有）【課題】電位治療器で高電位治療時に、高電圧で帯電した静電気の放電による動作不具合が起こり、特にDVDまたはCDドライブを操作の際、帯電した静電気が放電して強大なノイズが発生して電気部品の破壊や誤動作の原因になっており、これを解決する。【解決手段】高電位治療器で、動画及び音声再生装置を備え、内蔵各種ドライブのブラシレススピンドルモータ１０−５の流体軸受け１０−６と媒体１−２０を搭載するフランジ部１０−７を持ち、前カバーの開閉時間の間に停止可能なブレーキ機能を持ち、内蔵ドライブの前カバーの開閉に合わせて、ブラシレススピンドルモータは回転・停止を行い、ドライブ取付部の背面に除電性の植毛材１０−２が貼り付けられ、操作者が媒体を脱着する際に、操作者又は媒体に帯電された静電気は操作者が植毛布に触れ、又停止時には離間した除電性ブラシ１０−３が移動してディスクに接触することで、静電気を排出する。【選択図】図３
2008237532.tif 000002
【特許請求の範囲】
【請求項１】
高電位を用いて治療を行うための電位治療器であり、
動画及び音声を再生できる動画及び音声再生装置を備え、
内蔵されるＤＶＤまたはＣＤを軸回転させるために使用されるブラシレススピンドルモータに装着される流体軸受けと、前記軸に取り付けられた前記ＤＶＤまたはＣＤを搭載するフランジ部と、を持ち、
前記ブラシレススピンドルモータは、磁界の逆転によってブレーキ機能を持ち、
前記ＤＶＤまたはＣＤの前カバーの開閉が可能であり、
前記ＤＶＤまたはＣＤの取り付け部の背面部に、除電性の植毛材が貼り付けられる、ことを特徴とする電位治療器。
【請求項２】
請求項１に記載の電位治療器において、
前記背面部の位置は、常時ＤＶＤまたはＣＤ裏面より所定距離だけ離間しており、
停止時には前記背面部と同じ位置にある除電機能を持つブラシが設置され、
前記ブラシは、電磁石及び永久磁石によって発生する力量によって、背面位置より前カバーが開閉するタイミングで所定距離を前に移動して、ＤＶＤまたはＣＤに接触し、ＤＶＤまたはＣＤに帯電する静電気を除電する手段を備える、ことを特徴とする電位治療器。
【請求項３】
請求項１に記載の電位治療器において、
前記ブラシレススピンドルモータの流体軸受けが、磁力によって、軸の奥方向にスラスト力が加えられ、前記ドライブが横方向に取り付けられていても、前記流体軸受けに与えられる前記スラスト方向への力によって、スラスト方向に遊動することなく回転する、ことを特徴とする電位治療器。
【請求項４】
請求項１に記載の電位治療器において、
前記ＤＶＤまたはＣＤ取り付け部の背面に、除電性の植毛布が貼り付けられた面において、ＤＶＤまたはＣＤの円盤外周位置には複数に凹部が設けられ、
前記凹部の内面には除電機能を持つブラシが取り付けられている、ことを特徴とする電位治療器。
【発明の詳細な説明】
【技術分野】
【０００１】
本発明は、高電位を用いて治療を行う高電位治療器に係り、より詳細には、ＤＶＤまたはＣＤ再生装置による動画および音声再生装置を備え、使用者が常に静電気を帯電し、ＤＶＤまたはＣＤドライブ装置の取り扱い時の前記静電気を除電する技術を備える高圧電位治療器に関する。
【背景技術】
【０００２】
従来の高電位治療器は高電位を人体に与えるものであるが、高電位治療時において、高電圧の発生により使用者に静電気が帯電し、さらに前記静電気の放電によって起きる電気的な障害による、動作不具合に対して、その対策が打たれた装置は、従来無かった。
したがって、通常の操作においても、静電気の放電による高圧のノイズには為す術(すべ)は無く、ほとんど無対策のままであるので、誤動作の原因や各種電気部品に対して、除々にダメージを与える部品故障の原因の１つであった。
【０００３】
従来例としては、特開２００３−７３０号公報及び特開２００４−０１２７９７号公報に開示されているように、従来例にはその対策は記載が無く、また、特開２００５−４６３８２号公報などのマッサージ型チェアなどは開示されていたが、構成要件や実施例においても、前記対策についての記載は見つからない。
【０００４】
【特許文献１】特開２００３−７３０号公報
【特許文献２】特開２００４−０１２７９７号公報
【特許文献３】特開２００５−４６３８２号公報
【発明の開示】
【発明が解決しようとする課題】
【０００５】
従来の高電位治療器は、高電位を人体に与えるものであるが、高電位治療時において、高電圧の発生により使用者に静電気が帯電し、さらに前記静電気の放電によって起きる電気的な障害による、動作不具合が発生するトラブルがある。
当該トラブルに対する対策は難しく、通常の操作においても、静電気の放電による高圧のノイズには有効な対策は無く、誤動作の原因や各種電気部品に対してダメージを与える部品故障の原因のひとつであった。
【０００６】
具体的には、特にＤＶＤまたはＣＤなどのディスクドライブを使用者が操作するときに、使用者に帯電した高圧の静電気が、前記ドライブまたは周辺に放電されることで、強力なノイズが発生し、それがその装置の電気部品の破壊や誤動作の原因になっており、従来例では、このようなノイズの発生に対して積極的な対策が打たれた例は無かった。
【０００７】
さらに、上記の通り、従来にはＤＶＤまたはＣＤなどのディスク再生装置と電位治療器との組み合わせが存在しなかったため、ＤＶＤまたはＣＤが横に装着された場合の回転動作の安定性に対する対策もなく、また、帯電した静電気の除電に対して、具体的な解決策の提示は無かった。
【課題を解決するための手段】
【０００８】
本願発明によれば、高電位を用いて治療を行うための電位治療器において、動画及び音声を再生できる動画及び音声再生装置を備えた前記治療器であり、内蔵されるＤＶＤまたはＣＤなどのディスクを回転させるために使用されるブラシレススピンドルモータに装着される流体軸受けと、前記軸に取り付けられたＤＶＤまたはＣＤを搭載するフランジ部と、を持ち、前カバーの開閉時間の間に、ブラシレススピンドルモータが、駆動磁界の逆転によってブレーキ機能を持ち、回転の停止時間があるため回転停止動作が自ずと可能となり、ＤＶＤまたはＣＤドライブの前カバーの開閉に合わせて、ブラシレススピンドルモータが回転したり、停止したりすることが可能である、ＤＶＤまたはＣＤ取り付け部の背面には除電性の植毛布が貼り付けられ、操作者がＤＶＤまたはＣＤを脱着する際に、操作者に帯電された静電気は操作者が前記除電性の植毛布に触れることにより、静電気は除々に排出され、又、停止時においては背面と同位置に装着された、所定距離(例えば0.5ｍｍ)だけ離間した除電性ブラシが、前面に所定距離(0.5ｍｍ)移動してＤＶＤまたはＣＤに接触することで、積極的に静電気は除々に排出され、放電のようなノイズの発生を防ぎ、放電による各種障害や被害を防ぐことが可能となった。
【０００９】
本願発明の電位治療器についてのより具体的な手段は次のとおりである。
（１）高電位を用いて治療を行うための電位治療器であり、
動画及び音声を再生できる動画及び音声再生装置を備え、
内蔵されるＤＶＤまたはＣＤを軸回転させるために使用されるブラシレススピンドルモータに装着される流体軸受けと、前記軸に取り付けられた前記ＤＶＤまたはＣＤを搭載するフランジ部と、を持ち、
前記ブラシレススピンドルモータは、磁界の逆転によってブレーキ機能を持ち、
前記ＤＶＤまたはＣＤの前カバーの開閉が可能であり、
前記ＤＶＤまたはＣＤの取り付け部の背面部に、除電性の植毛材が貼り付けられる電位治療器とした。
【００１０】
（２）(１)の電位治療器において、
前記背面部の位置は、常時ＤＶＤまたはＣＤ裏面より所定距離(例えば0.5mm)だけ離間しており、
停止時には前記背面部と同じ位置にある除電機能を持つブラシが設置され、
前記ブラシは、電磁石及び永久磁石によって発生する力量によって、背面位置より前カバーが開閉するタイミングで所定距離を前に移動して、ＤＶＤまたはＣＤに接触し、ＤＶＤまたはＣＤに帯電する静電気を除電する手段を備える。
【００１１】
（３）(１)の電位治療器において、
前記ブラシレススピンドルモータの流体軸受けが、磁力によって、軸の奥方向にスラスト力が加えられ、前記ドライブが例え横方向に取り付けられていたとしても、前記流体軸受けに与えられる前記スラスト方向への力によって、スラスト方向に遊動することなく回転し、前記ドライブが垂直に取り付けられた場合と同様に安定した回転が得られることとした。
【００１２】
（４）(１)の電位治療器において、
前記ＤＶＤまたはＣＤ取り付け部の背面に、除電性の植毛布が貼り付けられた面において、ＤＶＤまたはＣＤの円盤外周位置には複数に凹部が設けられ、
前記凹部の内面には除電機能を持つブラシが取り付けられ、使用者がＤＶＤまたはＣＤを取り扱うときに前記凹部に指を入れて操作しやすくなっており且つ前記ブラシと指が接触するようになっている。
【発明の効果】
【００１３】
本願発明によれば、高電圧を発生して治療する電位治療器であって、動画及び音声を再生できる動画及び音声再生装置を備え、内蔵される各種ＤＶＤまたはＣＤドライブのブラシレススピンドルモータに装着される流体軸受けと、前記軸に取り付けられた媒体と、を搭載するフランジ部において、前カバーの開閉時間内に、ブレーキ機能を持ち、回転の停止時間があるため、回転停止動作が可能となり、前カバーの開閉に合わせて、各種ドライブのブラシレススピンドルモータが回転したり停止したりすることが可能である。
【００１４】
また、ドライブ取り付け部の背面に、除電性の植毛布が貼り付けられ、操作者が媒体を脱着する際に、操作者に帯電された静電気は、操作者が植毛布に触れることにより、静電気は除々に排出されることが可能である。
そして、停止時においては、背面に装着された所定距離(例えば0.5ｍｍ)離間した除電性ブラシが、前面に所定距離(0.5ｍｍ)移動して、ＤＶＤまたはＣＤに接触することで、積極的に静電気は除々に排出され、放電のようなノイズの発生を防ぐことを可能とした。
【発明を実施するための最良の形態】
【００１５】
本願発明の高電位治療器では、動画及び音声を再生できる動画及び音声再生装置(手段)を備え、内蔵されるＤＶＤまたはＣＤを回転させるために使用されるブラシレススピンドルモータに装着される流体軸受けをもち、また、前記軸に取り付けられたＤＶＤまたはＣＤを搭載するフランジ部を持ち、さらに、ブラシレススピンドルモータは磁界の逆転によってブレーキ機能を持ち、ＤＶＤまたはＣＤドライブの前カバーの開閉に合わせて、ブラシレススピンドルモータが回転したり停止したりすることが可能である。
【００１６】
さらには、ＤＶＤまたはＣＤ取り付け部の背面に除電性の植毛材が貼り付けられ、また、この背面がＤＶＤまたはＣＤ裏面より所定距離(例えば0.5ｍｍ以上)離間しており、また、ブラシレススピンドルモータが、停止時には除電機能を持つブラシが、磁力によって、ＤＶＤまたはＣＤの背面位置より所定距離だけ前に移動して、ＤＶＤまたはＣＤに接触することから、ＤＶＤまたはＣＤに帯電する静電気を除電することを特徴とする形態を持つ。
【００１７】
［実施例１］
本願発明の高電位治療器は、図１の前面図に示す動画及び音声を再生できる動画及び音声再生装置を備えた前記治療器において、図３のスピンドル断面図に示すように、内蔵されるＤＶＤまたはＣＤ1-20を回転させるために使用される、ブラシレススピンドルモータ10-5に装着される流体軸受け10-6と、前記軸に取り付けられたＤＶＤまたはＣＤを搭載するフランジ部10-7において、前記ブラシレススピンドルモータ10-5はロータの磁界の逆転によってブレーキ機能を持つ。
そして、ＤＶＤまたはＣＤドライブ1-6は、図１の前カバー10-1の開閉に合わせて、ブラシレススピンドルモータ10-5が回転したり停止したりすることが可能であって、ＤＶＤまたはＣＤ取り付け部の面のフランジ部10-7より0.5ｍｍ下がった背面に、除電性の植毛材10-2が貼り付けられ、またこの背面は、常時は、ＤＶＤまたはＣＤ裏面より「符号1-21」で示すように0.5ｍｍ以上離間している。
【００１８】
［実施例２］
また、本願発明の高電位治療器は、前記実施例において、図４のスピンドル詳細図に示すように、前記ブラシレススピンドルモータ10-5が停止時には、除電機能を持つブラシ10-3が、電磁石10-8と平行に設置された永久磁力10-9によって生ずる力によって、ＤＶＤまたはＣＤの背面位置より、図４の詳細図Ａで示すように、符号1-21で示す0.5ｍｍ分だけ前に移動して、ＤＶＤまたはＣＤに接触し、このＤＶＤまたはＣＤに帯電する静電気を除電することを特徴とする。
【００１９】
［実施例３］
そして、本願発明の高電位治療器は、図３のスピンドル断面図に示すように、前記ブラシレススピンドルモータ10-5の流体軸受け10-6が、フランジ内部に配置された磁性金属リング1-22が切り替え可能な磁極をもつ電磁石10-8が順方向又は逆方向にあっても移動ステーヨークの発生の磁力によって軸の奥方向にスラスト力が加えられる為、前記ドライブが横方向に取り付けられても、図４のスピンドル詳細図に示すように、前記流体軸受け10-6に与えられる前記スラスト方向への力によって、スラスト方向に遊動することなく回転し、前記ＤＶＤまたはＣＤドライブ1-6が垂直に取り付けられた場合と同様に、安定した回転が得られることを特徴とする。
【００２０】
［実施例３］
さらに、本願発明の高電位治療器は、図１の前面図に示すように、ＤＶＤまたはＣＤ取り付け部の背面に、図４のスピンドル詳細図にある除電性の植毛布10-2が貼り付けられた面において、ＤＶＤまたはＣＤの外周から外側に凹部20-1が複数設けられ、凹部20-1の内面には除電機能を持つブラシ20-2が取り付けられており、図５の指で把持(握持)した図で示すように、操作者がＤＶＤまたはＣＤを取り扱うときに、前記凹部20-1に指を入れて操作しやすくなっており、且つ、前記ブラシ20-2と指が接触するようになっていて除電できることを特徴とする。
【図面の簡単な説明】
【００２１】
【図１】本願発明の高電位治療器(装置)の前面図であり、装置全体と内蔵部品の形態、及び外装部に装着される部材などを示すものである。
【図２】本願発明の高電位治療器(装置)の装置全体図であり、各部品の位置及び全体の形態を示す。
【図３】本願発明の高電位治療器(装置)のスピンドル断面図であり、本願発明の主要形態を示し、スピンドルブラシモーターは10-5の概観図とモーター内部のロータ、ステータ部を示し、フランジ部10-7とＤＶＤまたはＣＤ1-20は図中で相対的位置関係を示し、除電植毛布10-2、除電ブラシ10-3の概略形態と相対位置を示し、流体軸受け10-6、ＤＶＤまたはＣＤ1-20の裏面から背面までの所定距離「符号1-21：0.5ｍｍ」を示す。
【図４】本願発明の高電位治療器(装置)のスピンドル詳細図であり、本願発明の詳細形態を示す。ここでは、除電ブラシ10-3、及び当該除電ブラシ10-3を前後に0.5ｍｍ移動させる極性切り替え可能な電磁石10-8、永久磁石10-9、スラスト方向に力を与える磁性金属リング1-22、移動ステーヨーク部を示す。3また、この詳細図Ａにおいては、除電ブラシ10-3の離間・接触状態を明示し、凹部20-1の位置を示し、また、除電ブラシ20-2の位置を示す。
【図５】本願発明の高電位治療器(装置)において「ディスクを指で把持(握持)した図」であり、ＤＶＤまたはＣＤ1-20を指で把持して、取り付けまたは取り外しの具体的な指の位置を示し、複数の凹部20-1の内部の除電ブラシ20-2が、指に対しどのように除電してゆくかを具体的に示すものである。
【符号の説明】
【００２２】
1-1  出力コネクター（全身用）
1-2  出力コネクター（局所用）
1-3  右スピーカー
1-4  左スピーカー
1-5  駆動アンプ〔音響〕
1-6  ＤＶＤまたはＣＤ再生回路
1-7  ＤＶＤまたはＣＤ信号復元回路
1-8  ＬＣＤ表示画面
1-9  ＣＰＵ基板
1-10  音性変調回路
2-1  絶縁部材（除電コートまたは素材）
2-2  高圧トランス
2-3  高圧基板
3-4  記録回路
10-2  除電性  植毛材
10-3  除電ブラシ
10-5  スピンドルモーター
10-6  流体軸受け
10-7  フランジ部
1-21  背面部とＤＶＤまたはＣＤ1-20との相対位置「0.5ｍｍ」
10-8  電磁石
10-9  永久磁石
1-22  磁性金属リング
20-1  凹部
20-2  除電ブラシ
10-4  除電ブラシ接触状態
【図１】
2008237532.tif 000003
【図２】
2008237532.tif 000004
【図３】
2008237532.tif 000005
【図４】
2008237532.tif 000006
【図５】
2008237532.tif 000007